(57)【要約】【課題】本発明は取替可能な防塵マスクを開示した。【解決手段】マスクを含み、前記マスクの右端には仕切り布が固定的に設置され、前記マスクの縁には軟質クッションが固定的に設置され、前記軟質クッションの右端には耳紐が固定的に設置され、前記マスクの左側には空気入口が設置され、前記空気入口の前後には移動溝が相通して設けられ、前記移動溝の中には移動ブロックがスライドできるように設置され、本発明は構造が簡単で、操作が便利で、空気入口と排気口とが区別され、いずれも空気一方向流通装置が設置され、吐いた気体が排出口から排出され、ろ過チャンバの中に入ってフィルターを消耗せず、フィルターの使用時間を伸ばし、また、フィルターを取り替えることもでき、異なった場合に対応でき、便利である。【選択図】図１
2020172731.tif 000002
【特許請求の範囲】
【請求項１】
マスクを含み、前記マスクの右端には仕切り布が固定的に設置され、前記マスクの縁には軟質クッションが固定的に設置され、前記軟質クッションの右端には耳紐が固定的に設置され、前記マスクの左側には空気入口が設置され、前記空気入口の前後には移動溝が相通して設けられ、前記移動溝の中には移動ブロックがスライドできるように設置され、前記空気入口の前後には連動装置が対称的に設置され、前記連動装置が前記移動ブロックと噛み合い、前記空気入口の右側にはろ過チャンバが相通して設置され、前記ろ過チャンバの中にはフィルターが置かれており、前記ろ過チャンバの下側にはプッシュ溝が相通して設けられ、前記プッシュ溝の中には前記フィルターと当接するプッシュブロックが設置され、前記プッシュブロックと前記プッシュ溝との間にはねじりばねが固定的に設置され、前記プッシュ溝の右側には接続溝が相通して設けられ、前記接続溝の中には噛合歯車が歯車軸によって回転できるように設置され、前記歯車軸の前後端がそれぞれ前記連動装置と伝動できるように接続され、前記ろ過チャンバの上側と外部との間には取付チャンバが連通して設けられ、前記取付チャンバの中にロック装置が設置され、前記ロック装置が前記フィルターと当接し、前記ろ過チャンバの右側にはエアチャンバが相通して設けられ、前記エアチャンバの中には封じブロックがスライドできるように設置され、前記封じブロックと前記エアチャンバとの間には前後対称の圧縮バネが固定的に設置され、前記エアチャンバの右側には排気口が相通して設けられ、前記排気口の左側壁の中には押し溝が前後に相通するように設けられ、前記押し溝の中には押しブロックがスライドできるように設けられ、前記押しブロックと前記連動装置とが噛み合い、前記排気口の前後側内壁と外部との間にはそれぞれエア溝が連通して設けられ、前記エア溝の中には封じ板がスライドできるように設置され、前記封じ板の一端にはスライドロッドが固定的に設置され、前記エア溝の両側にはガイド溝が相通して設けられ、前記スライドロッドと前記ガイドロッドとの間には撥条が固定的に設置され、前記スライドロッドのうち前記排気口から離れている側にはろ過網が固定的に設置され、
前記フィルターによって空気をろ過でき、前記空気入口によって空気の流入しかできなく、前記排気口によって排気しかできないことを特徴とする取替可能な防塵マスク。
【請求項２】
前記連動装置は前記移動溝と相通する回転溝を含み、前記回転溝の中には回転歯車が回転できるように設置され、前記回転歯車の上端面には第一傘歯車が固定的に設置され、前記回転溝の中には前記第一傘歯車と噛み合う第二傘歯車が回転軸によって回転できるように設置され、前記第一傘歯車と前記歯車軸との間がそれぞれ歯型ベルトによって伝動できるように接続され、前記回転溝の右側には前記押し溝と相通する空溝が設置され、前記空溝の中には伝動歯車が回転できるように設置され、前記伝動歯車の上端面には第三傘歯車が固定的に設置され、前記空溝の中には前記第三傘歯車と噛み合う第四傘歯車が心棒によって回転できるように設けられ、前記心棒と前記回転軸との間がベルトによって伝動できるように接続され、
前記移動ブロックが移動して前記空気入口を閉じる時、前記プッシュブロックを移動連動させて前記排気口を閉じることを特徴とする請求項１に記載の取替可能な防塵マスク。
【請求項３】
前記ロック装置は前記取付チャンバとスライドできるように接続される固定板を含み、前記取付チャンバの左側にはスライド溝が相通して設置され、前記スライド溝の中にはスライドブロックがスライドできるように設置され、前記スライドブロックの前後には前記固定ブロックとスライドできるように接続される引掛り溝が対称的に設置され、前記スライドブロクの上端面には前記スライドブロックを復帰させる復帰部品が固定的に設置され、前記取付チャンバの右側にはスライドチャンバが相通して設置され、前記スライドチャンバの中には引掛りブロックがスライドできるように設置され、前記引掛りブロックの中には前記固定ブロックとスライドできるように接続される凹溝が前後に対称的に設置され、
前記引掛りブロックが前記取付チャンバの中にスライドして前記固定ブロックを上昇連動させることを特徴とする請求項１に記載の取替可能な防塵マスク。
【発明の詳細な説明】
【技術分野】
【０００１】
本発明は日常用品技術分野に関し、具体的には取替可能な防塵マスクである。
【背景技術】
【０００２】
現有の防塵マスクは、フィルターを取り替える時操作しにくく、しかもフィルターがマスク内で固定されていなく、また使用する時吐いた気体が再びろ過チャンバを通してから排出されるため、フィルターを消耗し、フィルターの使用時間を短縮し、また、フィルターを取り替える時、マスクの通気口が開いた状態にあるため、外部の空気がろ過されずにマスク内の入る。
そのため、現有のマスクに対してさらなる改善を行う必要があり、マスク使用の便利度と防塵高効率性を高める。
【先行技術文献】
【特許文献】
【０００３】
【特許文献１】中国特許出願公開第104720151号明細書
【発明の概要】
【発明が解決しようとする課題】
【０００４】
本発明の目的は取替可能な防塵マスクを提供し、それは上記の現在の技術中の問題を解決できる。
【課題を解決するための手段】
【０００５】
本発明は以下の技術プランを通じて実現する：本発明の取替可能な防塵マスクは、マスクを含み、前記マスクの右端には仕切り布が固定的に設置され、前記マスクの縁には軟質クッションが固定的に設置され、前記軟質クッションの右端には耳紐が固定的に設置され、前記マスクの左側には空気入口が設置され、前記空気入口の前後には移動溝が相通して設けられ、前記移動溝の中には移動ブロックがスライドできるように設置され、前記空気入口の前後には連動装置が対称的に設置され、前記連動装置が前記移動ブロックと噛み合い、前記空気入口の右側にはろ過チャンバが相通して設置され、前記ろ過チャンバの中にはフィルターが置かれており、前記ろ過チャンバの下側にはプッシュ溝が相通して設けられ、前記プッシュ溝の中には前記フィルターと当接するプッシュブロックが設置され、前記プッシュブロックと前記プッシュ溝との間にはねじりばねが固定的に設置され、前記プッシュ溝の右側には接続溝が相通して設けられ、前記接続溝の中には噛合歯車が歯車軸によって回転できるように設置され、前記歯車軸の前後端がそれぞれ前記連動装置と伝動できるように接続され、前記ろ過チャンバの上側と外部との間には取付チャンバが連通して設けられ、前記取付チャンバの中にロック装置が設置され、前記ロック装置が前記フィルターと当接し、前記ろ過チャンバの右側にはエアチャンバが相通して設けられ、前記エアチャンバの中には封じブロックがスライドできるように設置され、前記封じブロックと前記エアチャンバとの間には前後対称の圧縮バネが固定的に設置され、前記エアチャンバの右側には排気口が相通して設けられ、前記排気口の左側壁の中には押し溝が前後に相通するように設けられ、前記押し溝の中には押しブロックがスライドできるように設けられ、前記押しブロックと前記連動装置とが噛み合い、前記排気口の前後側内壁と外部との間にはそれぞれエア溝が連通して設けられ、前記エア溝の中には封じ板がスライドできるように設置され、前記封じ板の一端にはスライドロッドが固定的に設置され、前記エア溝の両側にはガイド溝が相通して設けられ、前記スライドロッドと前記ガイドロッドとの間には撥条が固定的に設置され、前記スライドロッドのうち前記排気口から離れている側にはろ過網が固定的に設置され、
前記フィルターによって空気をろ過でき、前記空気入口によって空気の流入しかできなく、前記排気口によって排気しかできない。
【０００６】
優選的には、前記連動装置は前記移動溝と相通する回転溝を含み、前記回転溝の中には回転歯車が回転できるように設置され、前記回転歯車の上端面には第一傘歯車が固定的に設置され、前記回転溝の中には前記第一傘歯車と噛み合う第二傘歯車が回転軸によって回転できるように設置され、前記第一傘歯車と前記歯車軸との間がそれぞれ歯型ベルトによって伝動できるように接続され、前記回転溝の右側には前記押し溝と相通する空溝が設置され、前記空溝の中には伝動歯車が回転できるように設置され、前記伝動歯車の上端面には第三傘歯車が固定的に設置され、前記空溝の中には前記第三傘歯車と噛み合う第四傘歯車が心棒によって回転できるように設けられ、前記心棒と前記回転軸との間がベルトによって伝動できるように接続され、
前記移動ブロックが移動して前記空気入口を閉じる時、前記プッシュブロックを移動連動させて前記排気口を閉じる。
【０００７】
優選的には、前記ロック装置は前記取付チャンバとスライドできるように接続される固定板を含み、前記取付チャンバの左側にはスライド溝が相通して設置され、前記スライド溝の中にはスライドブロックがスライドできるように設置され、前記スライドブロックの前後には前記固定ブロックとスライドできるように接続される引掛り溝が対称的に設置され、前記スライドブロクの上端面には前記スライドブロックを復帰させる復帰部品が固定的に設置され、前記取付チャンバの右側にはスライドチャンバが相通して設置され、前記スライドチャンバの中には引掛りブロックがスライドできるように設置され、前記引掛りブロックの中には前記固定ブロックとスライドできるように接続される凹溝が前後に対称的に設置され、
前記引掛りブロックが前記取付チャンバの中にスライドして前記固定ブロックを上昇連動させる。
【発明の効果】
【０００８】
本発明の有益効果は：本発明は構造が簡単で、操作が便利で、空気入口と排気口とが区別され、いずれも空気一方向流通装置が設置され、吐いた気体が排出口から排出され、ろ過チャンバの中に入ってフィルターを消耗せず、フィルターの使用時間を伸ばし、また、フィルターを取り替えることもでき、異なった場合に対応でき、便利である。
【図面の簡単な説明】
【０００９】
説明しやすいため、本発明は以下の具体的な実施例と付図を交え詳しく説明する。
【００１０】
【図１】図１は本発明の取替可能な防塵マスクの内部全体構成略図
【図２】図２は図１のＡ−Ａ方向の構成略図
【図３】図３は図２のＢの拡大構成略図
【図４】図４は図１のＣの拡大構成略図
【図５】図５は図４のＤ−Ｄ方向の構成略図
【図６】図６は図５のＥ−Ｅ方向の構成略図
【発明を実施するための形態】
【００１１】
下記に図１−６をあわせて本発明について詳しく説明し、便利に説明するために、下記の方向を以下のように規定する：以下に述べる上下左右前後の方向と図１の自身投影関係の上下左右前後の方向とが一致である。
【００１２】
図１−６を参照し、本発明の取替可能な防塵マスクは、マスク１０を含み、前記マスク１０の右端には仕切り布５０が固定的に設置され、前記マスク１０の縁には軟質クッション１１が固定的に設置され、前記軟質クッション１１の右端には耳紐１２が固定的に設置され、前記マスク１０の左側には空気入口１３が設置され、前記空気入口１３の前後には移動溝１４が相通して設けられ、前記移動溝１４の中には移動ブロック１５がスライドできるように設置され、前記空気入口１３の前後には連動装置１００が対称的に設置され、前記連動装置１００が前記移動ブロック１５と噛み合い、前記空気入口１３の右側にはろ過チャンバ３０が相通して設置され、前記ろ過チャンバ３０の中にはフィルター３１が置かれており、前記ろ過チャンバ３０の下側にはプッシュ溝４２が相通して設けられ、前記プッシュ溝４２の中には前記フィルター３１と当接するプッシュブロック４３が設置され、前記プッシュブロック４３と前記プッシュ溝４２との間にはねじりばね４４が固定的に設置され、前記プッシュ溝４２の右側には接続溝４５が相通して設けられ、前記接続溝４５の中には噛合歯車４７が歯車軸４６によって回転できるように設置され、前記歯車軸４６の前後端がそれぞれ前記連動装置１００と伝動できるように接続され、前記ろ過チャンバ３０の上側と外部との間には取付チャンバ４８が連通して設けられ、前記取付チャンバ４８の中にロック装置２００が設置され、前記ロック装置２００が前記フィルター３１と当接し、前記ろ過チャンバ３０の右側にはエアチャンバ３２が相通して設けられ、前記エアチャンバ３２の中には封じブロック３３がスライドできるように設置され、前記封じブロック３３と前記エアチャンバ３２との間には前後対称の圧縮バネ３４が固定的に設置され、前記エアチャンバ３２の右側には排気口３５が相通して設けられ、前記排気口３５の左側壁の中には押し溝２７が前後に相通するように設けられ、前記押し溝２７の中には押しブロック２８がスライドできるように設けられ、前記押しブロック２８と前記連動装置１００とが噛み合い、前記排気口３５の前後側内壁と外部との間にはそれぞれエア溝３６が連通して設けられ、前記エア溝３６の中には封じ板３７がスライドできるように設置され、前記封じ板３７の一端にはスライドロッド３８が固定的に設置され、前記エア溝３６の両側にはガイド溝３９が相通して設けられ、前記スライドロッド３８と前記ガイドロッド３９との間には撥条４０が固定的に設置され、前記スライドロッド３８のうち前記排気口３５から離れている側にはろ過網４１が固定的に設置され、
前記フィルター３１によって空気をろ過でき、前記空気入口１３によって空気の流入しかできなく、前記排気口３５によって排気しかできない。
【００１３】
有益的には、前記連動装置１００は前記移動溝１４と相通する回転溝１６を含み、前記回転溝１６の中には回転歯車１７が回転できるように設置され、前記回転歯車１７の上端面には第一傘歯車１８が固定的に設置され、前記回転溝１６の中には前記第一傘歯車１８と噛み合う第二傘歯車１９が回転軸２０によって回転できるように設置され、前記第一傘歯車１８と前記歯車軸４６との間がそれぞれ歯型ベルト２２によって伝動できるように接続され、前記回転溝１６の右側には前記押し溝２７と相通する空溝２３が設置され、前記空溝２３の中には伝動歯車２６が回転できるように設置され、前記伝動歯車２６の上端面には第三傘歯車２５が固定的に設置され、前記空溝２３の中には前記第三傘歯車２５と噛み合う第四傘歯車２４が心棒２９によって回転できるように設けられ、前記心棒２９と前記回転軸２０との間がベルト２１によって伝動できるように接続され、
前記移動ブロック１５が移動して前記空気入口３５を閉じる時、前記プッシュブロック２８を移動連動させて前記排気口３５を閉じる。
【００１４】
有益的には、前記ロック装置２００は前記取付チャンバ４８とスライドできるように接続される固定板４９を含み、前記取付チャンバ４８の左側にはスライド溝５１が相通して設置され、前記スライド溝５１の中にはスライドブロック５２がスライドできるように設置され、前記スライドブロック５２の前後には前記固定ブロック４９とスライドできるように接続される引掛り溝５４が対称的に設置され、前記スライドブロク５２の上端面には前記スライドブロック５２を復帰させる復帰部品５３が固定的に設置され、前記取付チャンバ４８の右側にはスライドチャンバ５５が相通して設置され、前記スライドチャンバ５５の中には引掛りブロック５６がスライドできるように設置され、前記引掛りブロック５６の中には前記固定ブロック４９とスライドできるように接続される凹溝５７が前後に対称的に設置され、
前記引掛りブロック５６が前記取付チャンバ４８の中にスライドして前記固定ブロック４９を上昇連動させる。
【００１５】
初期状態の時、固定ブロック４９が取付チャンバ４８の中に位置し、フィルター３１がろ過チャンバ３０の中に位置し、ねじりばね４４が圧縮状態にあり、移動ブロック１５が空気入口１３を封じていなく、プッシュブロック２８が排気口３５を封じていない。
【００１６】
装置を始動しようとする時、耳紐１２によってマスク１０を顔に被せ、軟質クッション１１が面部と密着し、空気を吸い込む時、封じブロック３３が右にスライドし、空気が空気入口１３を通してろ過チャンバ３０の中に入り、フィルター３１にろ過されて吸収され、息を吐く時、封じブロック３３が左に移動して空気入口１３を封じ、封じ板３７が両側にスライドし、排気口３５を外部と相通させ、吐いた気体を排出し、
フィルターを取り替える時、引掛りブロック５６を下にスライドさせて全部の引掛りブロック５６を取付チャンバ４８の中に位置させ、スライドブロック５２を押してスライド溝５１の中に位置させ、その後上に引掛りブロック５６を取り出し、固定ブロック４９が取り出され、その後、フィルター３１をろ過チャンバ３０から取り出して取替え、この時プッシュブロック４３がねじりばね４４の作用によって上昇し、噛合歯車４７を回転させ、歯型ベルト２２によって回転軸２０を回転連動させ、回転歯車１７が回転し、移動ブロック１５が向かい合って移動して空気入口１３を閉じ、ベルト２１によって伝動歯車２６を回転させ、プッシュブロック２８が右に移動して排気口３５を閉じ、取り替える又は使用しない時に未ろ過の空気がマスク内に流入することを防止し、新しいフィルター３１を取付チャンバ４８に通してろ過チャンバ３０の中に置き、引掛りブロック５６を下に押して固定ブロック４９とフィルター３１とを当接させ、それから、右上方に引掛りブロック５６をスライドさせて引掛りブロック５６の右端をスライドチャンバ５５の中に入らせ、スライドブロック５２の右端が取付チャンバ４８の中に伸びて固定ブロック４９を固定する。
【００１７】
本発明の有益効果は：本発明は構造が簡単で、操作が便利で、空気入口と排気口とが区別され、いずれも空気一方向流通装置が設置され、吐いた気体が排出口から排出され、ろ過チャンバの中に入ってフィルターを消耗せず、フィルターの使用時間を伸ばし、また、フィルターを取り替えることもでき、異なった場合に対応でき、便利である。
【００１８】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020172731.tif 000003
【図２】
2020172731.tif 000004
【図３】
2020172731.tif 000005
【図４】
2020172731.tif 000006
【図５】
2020172731.tif 000007
【図６】
2020172731.tif 000008
【手続補正書】
【提出日】令和1年7月14日(2019.7.14)
【手続補正１】
【補正対象書類名】特許請求の範囲
【補正対象項目名】全文
【補正方法】変更
【補正の内容】
【特許請求の範囲】
【請求項１】
マスクを含み、前記マスクの右端には仕切り布が固定的に設置され、前記マスクの縁には軟質クッションが固定的に設置され、前記軟質クッションの右端には耳紐が固定的に設置され、前記マスクの左側には空気入口が設置され、前記空気入口の前後には移動溝が相通して設けられ、前記移動溝の中には移動ブロックがスライドできるように設置され、前記空気入口の前後には連動装置が対称的に設置され、前記連動装置が前記移動ブロックと噛み合い、前記空気入口の右側にはろ過チャンバが相通して設置され、前記ろ過チャンバの中にはフィルターが置かれており、前記ろ過チャンバの下側にはプッシュ溝が相通して設けられ、前記プッシュ溝の中には前記フィルターと当接するプッシュブロックが設置され、前記プッシュブロックと前記プッシュ溝との間にはねじりばねが固定的に設置され、前記プッシュ溝の右側には接続溝が相通して設けられ、前記接続溝の中には噛合歯車が歯車軸によって回転できるように設置され、前記歯車軸の前後端がそれぞれ前記連動装置と伝動できるように接続され、前記ろ過チャンバの上側と外部との間には取付チャンバが連通して設けられ、前記取付チャンバの中にロック装置が設置され、前記ロック装置が前記フィルターと当接し、前記ろ過チャンバの右側にはエアチャンバが相通して設けられ、前記エアチャンバの中には封じブロックがスライドできるように設置され、前記封じブロックと前記エアチャンバとの間には前後対称の圧縮バネが固定的に設置され、前記エアチャンバの右側には排気口が相通して設けられ、前記排気口の左側壁の中には押し溝が前後に相通するように設けられ、前記押し溝の中には押しブロックがスライドできるように設けられ、前記押しブロックと前記連動装置とが噛み合い、前記排気口の前後側内壁と外部との間にはそれぞれエア溝が連通して設けられ、前記エア溝の中には封じ板がスライドできるように設置され、前記封じ板の一端にはスライドロッドが固定的に設置され、前記エア溝の両側にはガイド溝が相通して設けられ、前記ガイド溝の中には前記スライドロッドと連結された撥条が固定的に設置され、前記スライドロッドのうち前記排気口から離れている側にはろ過網が固定的に設置され、
前記フィルターによって空気をろ過でき、前記空気入口によって空気の流入しかできなく、前記排気口によって排気しかできないことを特徴とする取替可能な防塵マスク。
【請求項２】
前記連動装置は前記移動溝と相通する回転溝を含み、前記回転溝の中には回転歯車が回転できるように設置され、前記回転歯車の上端面には第一傘歯車が固定的に設置され、前記回転溝の中には前記第一傘歯車と噛み合う第二傘歯車が回転軸によって回転できるように設置され、前記第一傘歯車と前記歯車軸との間がそれぞれ歯型ベルトによって伝動できるように接続され、前記回転溝の右側には前記押し溝と相通する空溝が設置され、前記空溝の中には伝動歯車が回転できるように設置され、前記伝動歯車の上端面には第三傘歯車が固定的に設置され、前記空溝の中には前記第三傘歯車と噛み合う第四傘歯車が心棒によって回転できるように設けられ、前記心棒と前記回転軸との間がベルトによって伝動できるように接続され、
前記移動ブロックが移動して前記空気入口を閉じる時、前記押しブロックを移動連動させて前記排気口を閉じることを特徴とする請求項１に記載の取替可能な防塵マスク。
【請求項３】
前記ロック装置は前記取付チャンバとスライドできるように接続される固定ブロックを含み、前記取付チャンバの左側にはスライド溝が相通して設置され、前記スライド溝の中にはスライドブロックがスライドできるように設置され、前記スライドブロックの前後には前記固定ブロックとスライドできるように接続される引掛り溝が対称的に設置され、前記スライドブロックの上端面には前記スライドブロックを復帰させる復帰部品が固定的に設置され、前記取付チャンバの右側にはスライドチャンバが相通して設置され、前記スライドチャンバの中には引掛りブロックがスライドできるように設置され、前記引掛りブロックの中には前記固定ブロックとスライドできるように接続される凹溝が前後に対称的に設置され、前記引掛りブロックが前記取付チャンバの中にスライドして前記固定ブロックを上昇連動させることを特徴とする請求項１に記載の取替可能な防塵マスク。
【手続補正２】
【補正対象書類名】明細書
【補正対象項目名】全文
【補正方法】変更
【補正の内容】
【発明の詳細な説明】
【技術分野】
【０００１】
本発明は日常用品技術分野に関し、具体的には取替可能な防塵マスクである。
【背景技術】
【０００２】
現有の防塵マスクは、フィルターを取り替える時操作しにくく、しかもフィルターがマスク内で固定されていなく、また使用する時吐いた気体が再びろ過チャンバを通してから排出されるため、フィルターを消耗し、フィルターの使用時間を短縮し、また、フィルターを取り替える時、マスクの通気口が開いた状態にあるため、外部の空気がろ過されずにマスク内の入る。
そのため、現有のマスクに対してさらなる改善を行う必要があり、マスク使用の便利度と防塵高効率性を高める。
【先行技術文献】
【特許文献】
【０００３】
【特許文献１】中国特許出願公開第104720151号明細書
【発明の概要】
【発明が解決しようとする課題】
【０００４】
本発明の目的は取替可能な防塵マスクを提供し、それは上記の現在の技術中の問題を解決できる。
【課題を解決するための手段】
【０００５】
本発明は以下の技術プランを通じて実現する：本発明の取替可能な防塵マスクは、マスクを含み、前記マスクの右端には仕切り布が固定的に設置され、前記マスクの縁には軟質クッションが固定的に設置され、前記軟質クッションの右端には耳紐が固定的に設置され、前記マスクの左側には空気入口が設置され、前記空気入口の前後には移動溝が相通して設けられ、前記移動溝の中には移動ブロックがスライドできるように設置され、前記空気入口の前後には連動装置が対称的に設置され、前記連動装置が前記移動ブロックと噛み合い、前記空気入口の右側にはろ過チャンバが相通して設置され、前記ろ過チャンバの中にはフィルターが置かれており、前記ろ過チャンバの下側にはプッシュ溝が相通して設けられ、前記プッシュ溝の中には前記フィルターと当接するプッシュブロックが設置され、前記プッシュブロックと前記プッシュ溝との間にはねじりばねが固定的に設置され、前記プッシュ溝の右側には接続溝が相通して設けられ、前記接続溝の中には噛合歯車が歯車軸によって回転できるように設置され、前記歯車軸の前後端がそれぞれ前記連動装置と伝動できるように接続され、前記ろ過チャンバの上側と外部との間には取付チャンバが連通して設けられ、前記取付チャンバの中にロック装置が設置され、前記ロック装置が前記フィルターと当接し、前記ろ過チャンバの右側にはエアチャンバが相通して設けられ、前記エアチャンバの中には封じブロックがスライドできるように設置され、前記封じブロックと前記エアチャンバとの間には前後対称の圧縮バネが固定的に設置され、前記エアチャンバの右側には排気口が相通して設けられ、前記排気口の左側壁の中には押し溝が前後に相通するように設けられ、前記押し溝の中には押しブロックがスライドできるように設けられ、前記押しブロックと前記連動装置とが噛み合い、前記排気口の前後側内壁と外部との間にはそれぞれエア溝が連通して設けられ、前記エア溝の中には封じ板がスライドできるように設置され、前記封じ板の一端にはスライドロッドが固定的に設置され、前記エア溝の両側にはガイド溝が相通して設けられ、前記ガイド溝の中には前記スライドロッドと連結された撥条が固定的に設置され、前記スライドロッドのうち前記排気口から離れている側にはろ過網が固定的に設置され、
前記フィルターによって空気をろ過でき、前記空気入口によって空気の流入しかできなく、前記排気口によって排気しかできない。
【０００６】
優選的には、前記連動装置は前記移動溝と相通する回転溝を含み、前記回転溝の中には回転歯車が回転できるように設置され、前記回転歯車の上端面には第一傘歯車が固定的に設置され、前記回転溝の中には前記第一傘歯車と噛み合う第二傘歯車が回転軸によって回転できるように設置され、前記第一傘歯車と前記歯車軸との間がそれぞれ歯型ベルトによって伝動できるように接続され、前記回転溝の右側には前記押し溝と相通する空溝が設置され、前記空溝の中には伝動歯車が回転できるように設置され、前記伝動歯車の上端面には第三傘歯車が固定的に設置され、前記空溝の中には前記第三傘歯車と噛み合う第四傘歯車が心棒によって回転できるように設けられ、前記心棒と前記回転軸との間がベルトによって伝動できるように接続され、
前記移動ブロックが移動して前記空気入口を閉じる時、前記押しブロックを移動連動させて前記排気口を閉じる。
【０００７】
優選的には、前記ロック装置は前記取付チャンバとスライドできるように接続される固定ブロックを含み、前記取付チャンバの左側にはスライド溝が相通して設置され、前記スライド溝の中にはスライドブロックがスライドできるように設置され、前記スライドブロックの前後には前記固定ブロックとスライドできるように接続される引掛り溝が対称的に設置され、前記スライドブロックの上端面には前記スライドブロックを復帰させる復帰部品が固定的に設置され、前記取付チャンバの右側にはスライドチャンバが相通して設置され、前記スライドチャンバの中には引掛りブロックがスライドできるように設置され、前記引掛りブロックの中には前記固定ブロックとスライドできるように接続される凹溝が前後に対称的に設置され、
前記引掛りブロックが前記取付チャンバの中にスライドして前記固定ブロックを上昇連動させる。
【発明の効果】
【０００８】
本発明の有益効果は：本発明は構造が簡単で、操作が便利で、空気入口と排気口とが区別され、いずれも空気一方向流通装置が設置され、吐いた気体が排出口から排出され、ろ過チャンバの中に入ってフィルターを消耗せず、フィルターの使用時間を伸ばし、また、フィルターを取り替えることもでき、異なった場合に対応でき、便利である。
【図面の簡単な説明】
【０００９】
説明しやすいため、本発明は以下の具体的な実施例と付図を交え詳しく説明する。
【００１０】
【図１】図１は本発明の取替可能な防塵マスクの内部全体構成略図
【図２】図２は図１のＡ−Ａ方向の構成略図
【図３】図３は図２のＢの拡大構成略図
【図４】図４は図１のＣの拡大構成略図
【図５】図５は図４のＤ−Ｄ方向の構成略図
【図６】図６は図５のＥ−Ｅ方向の構成略図
【発明を実施するための形態】
【００１１】
下記に図１−６をあわせて本発明について詳しく説明し、便利に説明するために、下記の方向を以下のように規定する：以下に述べる上下左右前後の方向と図１の自身投影関係の上下左右前後の方向とが一致である。
【００１２】
図１−６を参照し、本発明の取替可能な防塵マスクは、マスク１０を含み、前記マスク１０の右端には仕切り布５０が固定的に設置され、前記マスク１０の縁には軟質クッション１１が固定的に設置され、前記軟質クッション１１の右端には耳紐１２が固定的に設置され、前記マスク１０の左側には空気入口１３が設置され、前記空気入口１３の前後には移動溝１４が相通して設けられ、前記移動溝１４の中には移動ブロック１５がスライドできるように設置され、前記空気入口１３の前後には連動装置１００が対称的に設置され、前記連動装置１００が前記移動ブロック１５と噛み合い、前記空気入口１３の右側にはろ過チャンバ３０が相通して設置され、前記ろ過チャンバ３０の中にはフィルター３１が置かれており、前記ろ過チャンバ３０の下側にはプッシュ溝４２が相通して設けられ、前記プッシュ溝４２の中には前記フィルター３１と当接するプッシュブロック４３が設置され、前記プッシュブロック４３と前記プッシュ溝４２との間にはねじりばね４４が固定的に設置され、前記プッシュ溝４２の右側には接続溝４５が相通して設けられ、前記接続溝４５の中には噛合歯車４７が歯車軸４６によって回転できるように設置され、前記歯車軸４６の前後端がそれぞれ前記連動装置１００と伝動できるように接続され、前記ろ過チャンバ３０の上側と外部との間には取付チャンバ４８が連通して設けられ、前記取付チャンバ４８の中にロック装置２００が設置され、前記ロック装置２００が前記フィルター３１と当接し、前記ろ過チャンバ３０の右側にはエアチャンバ３２が相通して設けられ、前記エアチャンバ３２の中には封じブロック３３がスライドできるように設置され、前記封じブロック３３と前記エアチャンバ３２との間には前後対称の圧縮バネ３４が固定的に設置され、前記エアチャンバ３２の右側には排気口３５が相通して設けられ、前記排気口３５の左側壁の中には押し溝２７が前後に相通するように設けられ、前記押し溝２７の中には押しブロック２８がスライドできるように設けられ、前記押しブロック２８と前記連動装置１００とが噛み合い、前記排気口３５の前後側内壁と外部との間にはそれぞれエア溝３６が連通して設けられ、前記エア溝３６の中には封じ板３７がスライドできるように設置され、前記封じ板３７の一端にはスライドロッド３８が固定的に設置され、前記エア溝３６の両側にはガイド溝３９が相通して設けられ、前記ガイド溝３９の中には前記スライドロッド３８と連結された撥条４０が固定的に設置され、前記スライドロッド３８のうち前記排気口３５から離れている側にはろ過網４１が固定的に設置され、
前記フィルター３１によって空気をろ過でき、前記空気入口１３によって空気の流入しかできなく、前記排気口３５によって排気しかできない。
【００１３】
有益的には、前記連動装置１００は前記移動溝１４と相通する回転溝１６を含み、前記回転溝１６の中には回転歯車１７が回転できるように設置され、前記回転歯車１７の上端面には第一傘歯車１８が固定的に設置され、前記回転溝１６の中には前記第一傘歯車１８と噛み合う第二傘歯車１９が回転軸２０によって回転できるように設置され、前記第一傘歯車１８と前記歯車軸４６との間がそれぞれ歯型ベルト２２によって伝動できるように接続され、前記回転溝１６の右側には前記押し溝２７と相通する空溝２３が設置され、前記空溝２３の中には伝動歯車２６が回転できるように設置され、前記伝動歯車２６の上端面には第三傘歯車２５が固定的に設置され、前記空溝２３の中には前記第三傘歯車２５と噛み合う第四傘歯車２４が心棒２９によって回転できるように設けられ、前記心棒２９と前記回転軸２０との間がベルト２１によって伝動できるように接続され、
前記移動ブロック１５が移動して前記空気入口３５を閉じる時、前記押しブロック２８を移動連動させて前記排気口３５を閉じる。
【００１４】
有益的には、前記ロック装置２００は前記取付チャンバ４８とスライドできるように接続される固定ブロック４９を含み、前記取付チャンバ４８の左側にはスライド溝５１が相通して設置され、前記スライド溝５１の中にはスライドブロック５２がスライドできるように設置され、前記スライドブロック５２の前後には前記固定ブロック４９とスライドできるように接続される引掛り溝５４が対称的に設置され、前記スライドブロック５２の上端面には前記スライドブロック５２を復帰させる復帰部品５３が固定的に設置され、前記取付チャンバ４８の右側にはスライドチャンバ５５が相通して設置され、前記スライドチャンバ５５の中には引掛りブロック５６がスライドできるように設置され、前記引掛りブロック５６の中には前記固定ブロック４９とスライドできるように接続される凹溝５７が前後に対称的に設置され、
前記引掛りブロック５６が前記取付チャンバ４８の中にスライドして前記固定ブロック４９を上昇連動させる。
【００１５】
初期状態の時、固定ブロック４９が取付チャンバ４８の中に位置し、フィルター３１がろ過チャンバ３０の中に位置し、ねじりばね４４が圧縮状態にあり、移動ブロック１５が空気入口１３を封じていなく、プッシュブロック２８が排気口３５を封じていない。
【００１６】
装置を始動しようとする時、耳紐１２によってマスク１０を顔に被せ、軟質クッション１１が面部と密着し、空気を吸い込む時、封じブロック３３が右にスライドし、空気が空気入口１３を通してろ過チャンバ３０の中に入り、フィルター３１にろ過されて吸収され、息を吐く時、封じブロック３３が左に移動して空気入口１３を封じ、封じ板３７が両側にスライドし、排気口３５を外部と相通させ、吐いた気体を排出し、
フィルターを取り替える時、引掛りブロック５６を下にスライドさせて全部の引掛りブロック５６を取付チャンバ４８の中に位置させ、スライドブロック５２を押してスライド溝５１の中に位置させ、その後上に引掛りブロック５６を取り出し、固定ブロック４９が取り出され、その後、フィルター３１をろ過チャンバ３０から取り出して取替え、この時プッシュブロック４３がねじりばね４４の作用によって上昇し、噛合歯車４７を回転させ、歯型ベルト２２によって回転軸２０を回転連動させ、回転歯車１７が回転し、移動ブロック１５が向かい合って移動して空気入口１３を閉じ、ベルト２１によって伝動歯車２６を回転させ、プッシュブロック２８が右に移動して排気口３５を閉じ、取り替える又は使用しない時に未ろ過の空気がマスク内に流入することを防止し、新しいフィルター３１を取付チャンバ４８に通してろ過チャンバ３０の中に置き、引掛りブロック５６を下に押して固定ブロック４９とフィルター３１とを当接させ、それから、右上方に引掛りブロック５６をスライドさせて引掛りブロック５６の右端をスライドチャンバ５５の中に入らせ、スライドブロック５２の右端が取付チャンバ４８の中に伸びて固定ブロック４９を固定する。
【００１７】
本発明の有益効果は：本発明は構造が簡単で、操作が便利で、空気入口と排気口とが区別され、いずれも空気一方向流通装置が設置され、吐いた気体が排出口から排出され、ろ過チャンバの中に入ってフィルターを消耗せず、フィルターの使用時間を伸ばし、また、フィルターを取り替えることもでき、異なった場合に対応でき、便利である。
【００１８】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。